(57)【要約】【課題】電子機器の装着バンドを、容易、かつ、確実に着脱でき、使いやすいものとする。【解決手段】電子機器の装着バンド１を、第１平面状マグネット２及び第２平面状マグネット３によって構成される面ファスナー４を備え、第１平面状マグネット及び第２平面状マグネットは、幅方向の一方の側に設けられ、長手方向へ向けてＮ極、Ｓ極が交互に並ぶように磁化された第１磁化パターンと、幅方向の他方の側に設けられ、長手方向へ向けてＮ極、Ｓ極が交互に並ぶように磁化された第２磁化パターンとを備え、第１磁化パターンと第２磁化パターンは、幅方向へ向けて異なる向きになっている部分を含むものとする。【選択図】図１
2018126187.tif 000002
【特許請求の範囲】
【請求項１】
第１平面状マグネット及び第２平面状マグネットによって構成される面ファスナーを備え、
前記第１平面状マグネット及び前記第２平面状マグネットは、幅方向の一方の側に設けられ、長手方向へ向けてＮ極、Ｓ極が交互に並ぶように磁化された第１磁化パターンと、幅方向の他方の側に設けられ、長手方向へ向けてＮ極、Ｓ極が交互に並ぶように磁化された第２磁化パターンとを備え、
前記第１磁化パターンと前記第２磁化パターンは、幅方向へ向けて異なる向きになっている部分を含むことを特徴とする電子機器の装着バンド。
【請求項２】
前記第１磁化パターンと前記第２磁化パターンは、幅方向中心線に対して対称に設けられていることを特徴とする、請求項１に記載の電子機器の装着バンド。
【請求項３】
前記第１磁化パターンを構成するＮ極、Ｓ極は、幅方向に対して角度をつけて幅方向へ向けて直線状に設けられており、
前記第２磁化パターンを構成するＮ極、Ｓ極は、幅方向に対して角度をつけて幅方向へ向けて直線状に設けられていることを特徴とする、請求項１又は２に記載の電子機器の装着バンド。
【請求項４】
前記第１磁化パターンを構成するＮ極、Ｓ極は、幅方向に対して４５度よりも小さい角度をつけて設けられており、
前記第２磁化パターンを構成するＮ極、Ｓ極は、幅方向に対して４５度よりも小さい角度をつけて設けられていることを特徴とする、請求項３に記載の電子機器の装着バンド。
【請求項５】
前記第１磁化パターンを構成するＮ極、Ｓ極は、幅方向に対して角度をつけて折れ曲がるように設けられており、
前記第２磁化パターンを構成するＮ極、Ｓ極は、幅方向に対して角度をつけて折れ曲がるように設けられていることを特徴とする、請求項１又は２に記載の電子機器の装着バンド。
【請求項６】
前記第１磁化パターンを構成するＮ極、Ｓ極は、円弧状に設けられており、
前記第２磁化パターンを構成するＮ極、Ｓ極は、円弧状に設けられていることを特徴とする、請求項１又は２に記載の電子機器の装着バンド。
【請求項７】
第１平面状マグネット及び第２平面状マグネットによって構成される面ファスナーを備える装着バンドを備え、
前記第１平面状マグネット及び前記第２平面状マグネットは、幅方向の一方の側に設けられ、長手方向へ向けてＮ極、Ｓ極が交互に並ぶように磁化された第１磁化パターンと、幅方向の他方の側に設けられ、長手方向へ向けてＮ極、Ｓ極が交互に並ぶように磁化された第２磁化パターンとを備え、
前記第１磁化パターンと前記第２磁化パターンは、幅方向へ向けて異なる向きになっている部分を含むことを特徴とする電子機器。
【請求項８】
通信機能部を備えることを特徴とする、請求項７に記載の電子機器。
【発明の詳細な説明】
【技術分野】
【０００１】
本発明は、電子機器の装着バンド及び電子機器に関する。
【背景技術】
【０００２】
例えばウェアラブル端末などの電子機器において、簡単な着脱機構が必要となっている。
例えばウェアラブル端末を手首に装着する場合、使えるのはもう片方の手だけなので、片手だけだと装着するのが難しい。
また、例えば個人所有（例えば自分の腕時計等）でない物の場合、例えば現場作業者や病院の患者等に見守り端末として装着してもらう場合、例えば建物や施設への出入りを管理するために端末を装着してもらう場合等では、付け慣れていないので付けるのが難しい。
【０００３】
このため、誰でも簡単に着脱できる機構が必要となっている。
【先行技術文献】
【特許文献】
【０００４】
【特許文献１】実開昭６１−４６７０７号公報
【特許文献２】実開平７−２５８４４号公報
【発明の概要】
【発明が解決しようとする課題】
【０００５】
ところで、簡単な着脱機構を実現するために、マグネットからなる面ファスナーを用いることが考えられる。
この場合、例えば、面ファスナーを構成するマグネットを、幅方向の全体にわたって直線状に延びるＮ極、Ｓ極が長手方向へ向けて交互に並ぶように磁化された磁化パターンを備えるものとすることで、長手方向の調整を可能とすることが考えられる（例えば図６参照）。
【０００６】
しかしながら、幅方向にずれてくっついてしまう場合がある（例えば図６参照）。この場合、はずれやすくなる。また、幅方向にずれないように付け直すことになる。このため、使いにくいものとなってしまう。
本発明は、装着バンドを、容易、かつ、確実に着脱でき、使いやすいものとすることを目的とする。
【課題を解決するための手段】
【０００７】
１つの態様では、電子機器の装着バンドは、第１平面状マグネット及び第２平面状マグネットによって構成される面ファスナーを備え、第１平面状マグネット及び第２平面状マグネットは、幅方向の一方の側に設けられ、長手方向へ向けてＮ極、Ｓ極が交互に並ぶように磁化された第１磁化パターンと、幅方向の他方の側に設けられ、長手方向へ向けてＮ極、Ｓ極が交互に並ぶように磁化された第２磁化パターンとを備え、第１磁化パターンと第２磁化パターンは、幅方向へ向けて異なる向きになっている部分を含む。
【０００８】
１つの態様では、電子機器は、第１平面状マグネット及び第２平面状マグネットによって構成される面ファスナーを備える装着バンドを備え、第１平面状マグネット及び第２平面状マグネットは、幅方向の一方の側に設けられ、長手方向へ向けてＮ極、Ｓ極が交互に並ぶように磁化された第１磁化パターンと、幅方向の他方の側に設けられ、長手方向へ向けてＮ極、Ｓ極が交互に並ぶように磁化された第２磁化パターンとを備え、第１磁化パターンと第２磁化パターンは、幅方向へ向けて異なる向きになっている部分を含む。
【発明の効果】
【０００９】
１つの側面として、装着バンドを、容易、かつ、確実に着脱でき、使いやすいものとすることができるという効果を有する。
【図面の簡単な説明】
【００１０】
【図１】本実施形態にかかる電子機器の装着バンド及び電子機器の構成を示す模式図である。
【図２】本実施形態にかかる電子機器の装着バンドに備えられる平面状マグネットの磁化パターンの構成を示す模式図である。
【図３】本実施形態にかかる電子機器の装着バンドに備えられる平面状マグネットの磁化パターンの構成を示す模式図である。
【図４】（Ａ）、（Ｂ）は、本実施形態にかかる電子機器の装着バンドに備えられる平面状マグネットの磁化パターンの変形例の構成を示す模式図である。
【図５】本実施形態にかかる装着バンドを備える電子機器を用いたシステムの構成を示す模式図である。
【図６】電子機器の装着バンドにマグネットからなる面ファスナーを用いた場合の課題を説明するための模式図である。
【発明を実施するための形態】
【００１１】
以下、図面により、本発明の実施の形態にかかる電子機器の装着バンド及び電子機器について、図１〜図６を参照しながら説明する。
本実施形態にかかる電子機器の装着バンドは、図１に示すように、例えば通信機能部を有するブレスレット（通信機能付きブレスレット）あるいは例えば手首に装着するウェアラブル端末などの電子機器に用いられる。
【００１２】
なお、図１では、本実施形態の装着バンド１を、通信機能部５を有するブレスレット６に用いた場合を例に挙げて示している。
本実施形態の電子機器の装着バンド１は、第１平面状マグネット２及び第２平面状マグネット３によって構成される面ファスナー４を備える。
ここで、面ファスナー４を構成する第１平面状マグネット２及び第２平面状マグネット３は、それぞれ、装着バンド１の着脱部の対向する面を構成する。例えばゴム磁石を用いれば良い。
【００１３】
このようなマグネットからなる面ファスナー（マグネット面ファスナー）４を用いることで、簡単な着脱機構を実現することができる。
そして、第１平面状マグネット２及び第２平面状マグネット３は、図２に示すように、幅方向の一方の側に設けられ、長手方向へ向けてＮ極、Ｓ極が交互に並ぶように磁化された第１磁化パターン２Ａ、３Ａと、幅方向の他方の側に設けられ、長手方向へ向けてＮ極、Ｓ極が交互に並ぶように磁化された第２磁化パターン２Ｂ、３Ｂとを備える。なお、磁化パターン２Ａ、２Ｂ、３Ａ、３ＢをＮ／Ｓパターンともいう。
【００１４】
また、第１磁化パターン２Ａ、３Ａと第２磁化パターン２Ｂ、３Ｂは、幅方向へ向けて異なる向きになっている部分を含む。なお、具体的な構成については後述する。
このように、第１平面状マグネット２及び第２平面状マグネット３は、長手方向へ向けてＮ極、Ｓ極が交互に並ぶように磁化された第１磁化パターン２Ａ、３Ａ及び第２磁化パターン２Ｂ、３Ｂを備えるものとすることで、長手方向の調整を可能としている。
【００１５】
つまり、長手方向へ向けて交互に並ぶようにＮ極、Ｓ極を設けた磁化パターンとすることで、磁化パターンのピッチ、即ち、Ｎ極、Ｓ極の長手方向の長さに応じて、互いに対向する第１平面状マグネット２及び第２平面状マグネット３を構成するＮ極とＳ極が吸着（固着）する位置をずらして任意に調整することが可能となり、バンド１の長さを調整することが可能となる。例えば、このような磁化パターンを有するゴム磁石を用いることで、互いに良くつき、パターンピッチに応じてずらしてつけることができるため、腕時計のベルトのようにして使うことが可能となる。
【００１６】
また、幅方向の一方の側に設けられる第１磁化パターン２Ａ、３Ａと、幅方向の他方の側に設けられる第２磁化パターン２Ｂ、３Ｂが、幅方向へ向けて異なる向きになっている部分を含むものとすることで、即ち、少なくとも２方向の向きを持ったものとすることで、幅方向に２方向の力が働くようにして、幅方向（横方向）にずれてくっついてしまうことがないようにしている。
【００１７】
つまり、図６に示すように、幅方向の全体にわたって直線状に延びるＮ極、Ｓ極が長手方向へ向けて交互に並ぶように磁化された磁化パターン２Ｘ、３Ｘを備えるものとすると、幅方向、即ち、磁化パターン２Ｘ、３Ｘを構成するＮ極、Ｓ極が延びる方向には例えば突起等のひっかかりがないため、幅方向にずれてくっついてしまう場合がある。このため、幅方向の一方の側に設けられる第１磁化パターン２Ａ、３Ａと、幅方向の他方の側に設けられる第２磁化パターン２Ｂ、３Ｂが、幅方向へ向けて異なる向きになっている部分を含むものとすることで、幅方向にずれてくっついてしまうことがないようにしている。
【００１８】
このように磁化パターンを工夫することで、長手方向の調整を可能とするとともに、幅方向にずれてくっついてしまうことがないようにすることができ、容易、かつ、確実に着脱することが可能となり、使いやすくなる。
また、磁化パターンを工夫することで、例えば突起等を設けることなく、第１磁化パターン２Ａ、３Ａと第２磁化パターン２Ｂ、３Ｂの幅方向中心位置が合うように磁力が作用するようにすることで、幅方向にずれずにセンタリングされるようにすることもできる。
【００１９】
なお、バンド１は、ベルト状になっているため、ベルトともいう。また、平面状マグネット２、３を平面マグネットともいう。また、本実施形態の面ファスナー４では、幅方向にずれずにセンタリングされるため、センタリング機能付き面ファスナー又はセンタリング機能付きマグネットベルト面ファスナーともいう。また、ブレスレット６をマグネット面ファスナー付きブレスレット又はブレスレット型電子機器ともいう。
【００２０】
本実施形態では、図２、図３に示すように、第１磁化パターン２Ａ、３Ａと第２磁化パターン２Ｂ、３Ｂは、幅方向中心線に対して対称に設けられている。
なお、これに限られるものではなく、第１磁化パターン２Ａ、３Ａと第２磁化パターン２Ｂ、３Ｂは、幅方向中心線に対して非対称に設けられていても良い。つまり、第１磁化パターン２Ａ、３Ａと第２磁化パターン２Ｂ、３Ｂの境界線が幅方向中心線に対して幅方向へずれていても良い。
【００２１】
また、本実施形態では、第１磁化パターン２Ａ、３Ａを構成するＮ極、Ｓ極は、幅方向に対して角度をつけて幅方向へ向けて直線状に設けられており、第２磁化パターン２Ｂ、３Ｂを構成するＮ極、Ｓ極は、幅方向に対して角度をつけて幅方向へ向けて直線状に設けられている。これにより、第１磁化パターン２Ａ、３Ａと第２磁化パターン２Ｂ、３Ｂは、幅方向へ向けて異なる向きになっている部分を含むようにしている。
【００２２】
ここで、第１磁化パターン２Ａ、３Ａを構成するＮ極、Ｓ極は、幅方向（長手方向に直交する方向）に対して４５度よりも小さい角度をつけて設けられており、第２磁化パターン２Ｂ、３Ｂを構成するＮ極、Ｓ極は、幅方向に対して４５度よりも小さい角度をつけて設けられていることが好ましい。これにより、はずれやすくなるのを防止することができる。
【００２３】
この場合、第１及び第２磁化パターン２Ａ、２Ｂ、３Ａ、３Ｂを構成するＮ極、Ｓ極は、長手方向に直交する方向に対して０度から４５度の範囲の角度を持つ線に平行に設けられることになる。また、第１磁化パターン２Ａ、３Ａ及び第２磁化パターン２Ｂ、３Ｂは全体としてはＶ字状のパターンとなる。
ここで、図２の右側に、第１磁化パターン２Ａ、３Ａと第２磁化パターン２Ｂ、３Ｂをくっつけた状態を示している。
【００２４】
第１磁化パターン２Ａ、３Ａと第２磁化パターン２Ｂ、３Ｂは、上述のように構成されているため、図２の右側に示すように、幅方向（矢印で示す方向）にずれずにセンタリングされてくっつくことになる。
なお、これに限られるものではなく、例えば、図４（Ａ）に示すように、第１磁化パターン２Ａ、３Ａを構成するＮ極、Ｓ極は、幅方向に対して角度をつけて折れ曲がるように設けられており、第２磁化パターン２Ｂ、３Ｂを構成するＮ極、Ｓ極は、幅方向に対して角度をつけて折れ曲がるように設けられているものとしても良い。このように、幅方向の一方の側に設けられる第１磁化パターン２Ａ、３Ａと、幅方向の他方の側に設けられる第２磁化パターン２Ｂ、３Ｂが、３方向の向きを持ったものとしても良い。
【００２５】
また、例えば、図４（Ｂ）に示すように、第１磁化パターン２Ａ、３Ａを構成するＮ極、Ｓ極は、円弧状に設けられており、第２磁化パターン２Ｂ、３Ｂを構成するＮ極、Ｓ極は、円弧状に設けられているものとしても良い。
このように、磁化パターン２Ａ、２Ｂ、３Ａ、３Ｂを構成するＮ極、Ｓ極は、長手方向に平行でない方向にライン状に繰り返し設けられているものとすれば良い。
【００２６】
これらの場合も、幅方向の一方の側に設けられる第１磁化パターン２Ａ、３Ａと、幅方向の他方の側に設けられる第２磁化パターン２Ｂ、３Ｂが、幅方向へ向けて異なる向きになっている部分を含むものとなっていることになる。
また、第１磁化パターン２Ａ、３Ａ及び第２磁化パターン２Ｂ、３Ｂは、面内方向に磁化された磁化パターンであっても良いし、第１磁化パターン２Ａ、３Ａ及び第２磁化パターン２Ｂ、３Ｂは、面内方向に対して垂直な方向に磁化された磁化パターンであっても良い。
【００２７】
ところで、本実施形態の電子機器は、例えば手首に装着するウェアラブル端末あるいは例えば通信機能部５を備えるブレスレット６などの小型の電子機器であって、上述のように構成される装着バンド１を備える（例えば図１参照）。
ここでは、電子機器として、通信機能部５を備えるブレスレット６を例に挙げて説明する（例えば図１参照）。
【００２８】
本実施形態の電子機器としての通信機能部５を備えるブレスレット６は、上述のように構成される装着バンド１を備えるため、誰でも簡単に着脱することができる。
このため、例えば現場作業者や病院の患者等に見守り端末、あるいは、例えば建物や施設への出入りを管理するために端末として用いるのにも適している。
このような用途に用いる場合、通信機能部５を備えるものとし、例えば利用者の通過等の情報が得られるようにすれば良い。
【００２９】
この場合、電子機器としてのブレスレット６は、装着バンド１と、通信機能部５とを備えるものとし、装着バンド１が上述のように構成されるものとすれば良い。
ここで、通信機能部５は、パッシブ型の通信機能部（例えばＲＦＩＤ：radio frequency identifier）であっても良いし、アクティブ型の通信機能部（例えばビーコン）であっても良い。アクティブ型の通信機能部とする場合、電子機器としてのブレスレット６は、さらに、バッテリーを備えるものとすれば良い。
【００３０】
例えば、図５に示すように、パッシブ又はアクティブな通信機能部５を持ち、上述のように構成される装着バンド１を備えるブレスレット６を装着した利用者９が、受信部（受信機能）を持つゲート７に近づくと、その情報がゲート７からサーバー８へ通知されるようにすることで、利用者９の通過の情報が得られるようにすることができる。
したがって、本実施形態にかかる電子機器の装着バンド及び電子機器は、容易、かつ、確実に着脱でき、使いやすくなるという効果を有する。
【００３１】
なお、本発明は、上述した実施形態に記載した構成に限定されるものではなく、本発明の趣旨を逸脱しない範囲で種々変形することが可能である。
以下、上述の実施形態に関し、更に、付記を開示する。
（付記１）
第１平面状マグネット及び第２平面状マグネットによって構成される面ファスナーを備え、
前記第１平面状マグネット及び前記第２平面状マグネットは、幅方向の一方の側に設けられ、長手方向へ向けてＮ極、Ｓ極が交互に並ぶように磁化された第１磁化パターンと、幅方向の他方の側に設けられ、長手方向へ向けてＮ極、Ｓ極が交互に並ぶように磁化された第２磁化パターンとを備え、
前記第１磁化パターンと前記第２磁化パターンは、幅方向へ向けて異なる向きになっている部分を含むことを特徴とする電子機器の装着バンド。
【００３２】
（付記２）
前記第１磁化パターンと前記第２磁化パターンは、幅方向中心線に対して対称に設けられていることを特徴とする、付記１に記載の電子機器の装着バンド。
（付記３）
前記第１磁化パターンを構成するＮ極、Ｓ極は、幅方向に対して角度をつけて幅方向へ向けて直線状に設けられており、
前記第２磁化パターンを構成するＮ極、Ｓ極は、幅方向に対して角度をつけて幅方向へ向けて直線状に設けられていることを特徴とする、付記１又は２に記載の電子機器の装着バンド。
【００３３】
（付記４）
前記第１磁化パターンを構成するＮ極、Ｓ極は、幅方向に対して４５度よりも小さい角度をつけて設けられており、
前記第２磁化パターンを構成するＮ極、Ｓ極は、幅方向に対して４５度よりも小さい角度をつけて設けられていることを特徴とする、付記３に記載の電子機器の装着バンド。
【００３４】
（付記５）
前記第１磁化パターンを構成するＮ極、Ｓ極は、幅方向に対して角度をつけて折れ曲がるように設けられており、
前記第２磁化パターンを構成するＮ極、Ｓ極は、幅方向に対して角度をつけて折れ曲がるように設けられていることを特徴とする、付記１又は２に記載の電子機器の装着バンド。
【００３５】
（付記６）
前記第１磁化パターンを構成するＮ極、Ｓ極は、円弧状に設けられており、
前記第２磁化パターンを構成するＮ極、Ｓ極は、円弧状に設けられていることを特徴とする、付記１又は２に記載の電子機器の装着バンド。
（付記７）
前記第１磁化パターン及び前記第２磁化パターンは、面内方向に磁化された磁化パターンであることを特徴とする、付記１〜６のいずれか１項に記載の電子機器の装着バンド。
【００３６】
（付記８）
前記第１磁化パターン及び前記第２磁化パターンは、面内方向に対して垂直な方向に磁化された磁化パターンであることを特徴とする、付記１〜６のいずれか１項に記載の電子機器の装着バンド。
（付記９）
第１平面状マグネット及び第２平面状マグネットによって構成される面ファスナーを備える装着バンドを備え、
前記第１平面状マグネット及び前記第２平面状マグネットは、幅方向の一方の側に設けられ、長手方向へ向けてＮ極、Ｓ極が交互に並ぶように磁化された第１磁化パターンと、幅方向の他方の側に設けられ、長手方向へ向けてＮ極、Ｓ極が交互に並ぶように磁化された第２磁化パターンとを備え、
前記第１磁化パターンと前記第２磁化パターンは、幅方向へ向けて異なる向きになっている部分を含むことを特徴とする電子機器。
【００３７】
（付記１０）
通信機能部を備えることを特徴とする、付記９に記載の電子機器。
（付記１１）
前記通信機能部は、パッシブ型の通信機能部であることを特徴とする、付記１０に記載の電子機器。
【００３８】
（付記１２）
前記通信機能部は、アクティブ型の通信機能部であり、
さらに、バッテリーを備えることを特徴とする、付記１０に記載の電子機器。
【符号の説明】
【００３９】
１  装着バンド
２  第１平面状マグネット
３  第２平面状マグネット
２Ａ、３Ａ  第１磁化パターン
２Ｂ、３Ｂ  第２磁化パターン
２Ｘ、３Ｘ  磁化パターン
４  面ファスナー
５  通信機能部
６  ブレスレット（電子機器）
７  ゲート
８  サーバー
９  利用者
【図１】
2018126187.tif 000003
【図２】
2018126187.tif 000004
【図３】
2018126187.tif 000005
【図４】
2018126187.tif 000006
【図５】
2018126187.tif 000007
【図６】
2018126187.tif 000008